(57)【要約】      （修正有）【課題】車両の車輪監視システムの通信装置に関する通信方法を改良するものである。【解決手段】車輪Ｒは、電子チップ２００を有するタイヤを装備し、前記タイヤは、金属構造Ｓを有し、前記車輪Ｒ内に収容された電子モジュール１１０を備え、前記電子モジュール１１０は、既定の周波数範囲で電波を発信して、前記電波を前記金属構造Ｓに反射させ、前記チップが前記モジュール１１０に対してどのような位置であっても前記電波が前記チップ２００に到達して、書き込みおよび／または読み出しのためにデータを作動および／または送信することを目的に、前記モジュール１１０が前記チップ２００と連絡できる装置に関する。【選択図】図２
2014004995.tif 000002
【特許請求の範囲】
【請求項１】
車両（Ｃ）の車輪監視システムの通信装置であって，前記車輪（Ｒ）は、電子チップ（２００）を有するタイヤを装備し、前記タイヤは、金属構造（Ｓ）を有する装置において、
前記車両（Ｃ）の前記車輪（Ｒ）内に収容された電子モジュール（１１０）を備え、
前記電子モジュール（１１０）は、既定の周波数範囲で電波（Ｏ）を発信して、前記電波を前記金属構造（Ｓ）に反射させ、
前記チップが前記モジュール（１１０）に対してどのような位置であっても前記電波（Ｏ）が前記チップ（２００）に到達して、書き込みおよび／または読み出しのためにデータを作動および／または送信することを目的に、前記モジュール（１１０）が前記チップ（２００）と連絡できるようにする
ことを特徴とする、装置。
【請求項２】
前記周波数範囲は、１００ＭＨｚを超える範囲であることを特徴とする、請求項１に記載の装置。
【請求項３】
前記チップ（２００）は、前記チップが埋め込まれた前記タイヤの動的測定を実施することを特徴とする、請求項１に記載の装置。
【請求項４】
前記チップ（２００）は、無線タグであることを特徴とする、請求項１に記載の装置。
【請求項５】
前記車両（Ｃ）のシャシに取り付けられた無線周波数受信器（１２０）を備えることを特徴とする、請求項１に記載の装置。
【請求項６】
前記モジュール（１１０）は、１００ＭＨｚを超える範囲の電波を発信・受信する手段、低周波数範囲の電波を発信・受信する手段を備えることを特徴とする、請求項１に記載の装置。
【請求項７】
前記モジュール（１１０）は、等方性アンテナを装備していることを特徴とする、請求項２に記載の装置。
【請求項８】
前記チップが前記シャシに取り付けられた前記無線周波数受信器（１２０）と通信するように、前記電子モジュール（１１０）を介して前記チップ（２００）を作動させることからなることを特徴とする、請求項１または５に記載の装置の通信方法。
【請求項９】
ユーザが利用する携帯型問い合わせ電子モジュール（１６０）を搭載したタイプの請求項１に記載の装置の通信方法であって、ユーザの制御により、前記携帯型モジュール（１６０）を介して車輪の前記電子モジュール（１１０）に信号を送らせて、識別子を発信する前記チップ（２００）を作動する電波を発信するよう命令することからなることを特徴とする、方法。
【発明の詳細な説明】
【技術分野】
【０００１】
本発明は、車両の車輪の監視分野に関し、とりわけ前記システムを構成する様々な機能的サブアンサンブル同士の通信を改良できる適応方法に関する。
【背景技術】
【０００２】
今日、機器で読み出すことのできる単一のメモリを内蔵する電子チップを、ゴム自体の中に受け入れるタイヤが存在する。これらのチップは、データを格納できるだけでなく、データに問い合わせがあった際にこのデータを返すこともできる。タイヤメーカーにとっての利点は、タイヤのトレーサビリティを確保できること、タイヤの再生、整備実施日を特定できること、および模造タイヤの使用をさらによく監視しようと試みることができることである。
【０００３】
これらのチップの利用に関連する問題は、メンテナンス作業の過程で、あるリムから別のリムへ移されることのあるこれらのタイヤの追跡および位置特定にあるだけでなく、使用中の車両に装備された車輪の位置特定にもある。実際、タイヤの摩耗は、特に重量車ではすべてが同じようにはならず、車輪に割り当てられた車両上の位置によって異なる。
【０００４】
現時点では、このような欠点を解消するために、車輪の通路近辺にある車両のシャシに巻き付けて設置されたアンテナ（一般に１２５Ｋｈｚ前後の低周波数を利用）を備える通信装置が存在し、これらのアンテナは、このアンテナを操作できる車載電子機器に接続されている。これらのアンテナは、タイヤに組み込まれた電子チップに問い合わせ、電子チップは、問題のタイヤに関するデータを送信して応答する。すると、タイヤは、識別され、この例では位置を特定されるが、これには、車両に設置するにはコストがかかる上に重い完全な電子装置があることが必須であり、車輪の通路に曝露されているアンテナの脆弱性は考慮されていない。さらに、（電池から給電されない）いわゆる受動のチップを主力とするこのシステムは、タイヤを一周するアンテナを備えて、車輪が回転する間は３６０度の角度を範囲に含め、シャシに固定されたアンテナと常に通信できるようにする必要がある。
【０００５】
そのため、この対策は、車輪ごとに１つのアンテナを必要とし、設置が複雑で脆弱なこの用途に特化した車載コンピュータを必要とするため、コストがかかる。
【発明の概要】
【発明が解決しようとする課題】
【０００６】
この事実に基づき、本出願者は、先行技術の問題を解消できる通信方法を提供することに焦点を当てて研究した。
【課題を解決するための手段】
【０００７】
この研究の結果、車両の車輪監視システムの通信装置であって、前記車輪は電子チップを有するタイヤを装備し、前記タイヤは金属構造を有する装置において、車両の車輪内に収容された電子モジュールを備え、前記電子モジュールは、既定の周波数範囲で電波を発信して、前記電波を金属構造に反射させ、チップがモジュールに対してどのような位置であっても前記電波が前記チップに到達して、書き込みおよび／または読み出しのためにデータを作動および／または送信することを目的に、モジュールがチップと連絡できるようにすることが傑出している、装置の構想に至った。
【０００８】
この特徴により、例えばチップの識別子のような、前記チップから出されるタイヤのパラメータを、リアルタイムかつ移動中に読み出せるようになる。この通信は、目標物の方へ直接届かない電波が、電波の性質により反射して受信されるという事実により可能になる。この多経路の反射を介した送信方式により、タイヤ内部の圧力および／または温度のパラメータを測定する目的で、最初に車輪に装備する前記チップと前記モジュールとの間の距離を最大限短縮することに焦点を当てた面倒な作業をなくすことができ、この種のピアリングは、例えば重量車の車輪の場合は、決して単純ではない。したがって、この特徴により、発信器と受信器のアンテナのサイズを縮小でき、これによって製造コストを下げることができる。
【０００９】
もう１つの利点は、タイヤの履歴を追跡できること、走行時間を把握できること、使用済みタイヤのリファレンス番号を把握できること、およびタイヤの製造元を証明できること、などである。
【００１０】
タイヤの構造を使用することで、電波の反射が確保されるだけでなく、電波を閉じ込めて外部からのあらゆる妨害が回避される。
【００１１】
したがって、もう１つの特徴によれば、前記周波数範囲は、１００ＭＨｚを超える範囲であり、この周波数範囲は、他の用途ではタイヤの外部で使用できる範囲だが、電波の伝搬領域が閉じ込められているために妨害されることのない範囲である。
【００１２】
本発明の特に有利なもう１つの特徴によれば、前記チップは、このチップが埋め込まれたタイヤの動的測定を実施する。そのため、モジュールに送信されるメッセージは、測定された摩耗に関連するパラメータを含んでいる。もう１つの特徴によれば、前記チップは、無線タグである。
【００１３】
車輪監視システムの一部を成しているような車輪に装備されているモジュールに、電波を発信・受信する追加の可能性を付与することで、本発明の装置により、パラレル通信網を必要とせずに先行技術の課題に応えることができる。
【００１４】
上記の特徴の全体または一部を基にして、複数の通信方法が考案された。したがって、本発明のもう１つの目的は、前記装置の動作方法である。特に有利な特徴によれば、車両のシャシに取り付けられた無線周波数受信器を備える装置に基づく前記通信方法は、電子モジュールを介して前記チップを作動させて、チップがシャシに取り付けられた無線周波数受信器と通信するようにすることからなる。電子モジュールは、チップに光を当て、前記チップが発信した信号を検波するのは、シャシに取り付けられた受信器である。そのため、電子モジュールは、チップが発信した信号の読み出し手段を装備しておらず、これによって、設置コストが軽減される。
【００１５】
特に有利なもう１つの特徴によれば、ユーザが利用する携帯型問い合わせ電子モジュールを搭載したタイプの装置の通信方法は、ユーザの制御により、携帯型モジュールを介して車輪の電子モジュールに信号を送らせて、識別子を発信するチップを作動させる電波を発信するよう命令することからなる点が傑出している。この識別子は、上記の方法によれば、前記受信モジュールに送信されてよい。このような方法であれば、この送信が自発的なものになり、タイヤまたは車輪の生涯に起こるイベントに左右される発信戦略は必要ない。
【００１６】
以上に最も初歩的な形で明らかにした本発明の基本概念、その他の詳細および特徴は、本発明に係る装置の実施形態を非限定的な例として挙げた以下の説明文を読み、添付の図面を参照することでさらに明らかになるであろう。
【図面の簡単な説明】
【００１７】
【図１】タイヤ圧監視装置およびＲＦＩＤタグを装備したタイヤを装備したトラックの概略図である。
【図１ａ】図１のトラックの様々な発信・受信サブアンサンブル間で起こり得る通信を示す図である。
【図２】モジュールおよびチップを装備した車輪の概略図である。
【図３】本発明の通信方法を示す図である。
【発明を実施するための形態】
【００１８】
図１および図１ａに示したように、車両Ｃには、計測モジュール１１０で構成されるタイヤ圧監視装置が装備され、この計測モジュールは、各車輪Ｒに固定され、車両Ｃのシャシに固定された受信部１２０と通信し、この受信部は、中央受信部１３０と通信する。この中央受信部１３０は、無線または有線でコンピュータ１４１、リレーアンテナ１４２、またはＧＳＭ、ＧＰＳなどのタイプのネットワーク１５０を有するあらゆる接続手段と通信することができる。
【００１９】
図２に示したように、車輪Ｒは、チップまたはＲＦＩＤタグ２００タイプの識別子を担持するタイヤを受け入れる。好適だが非限定的な実施形態によれば、計測モジュール１１０は、リムに固定され、チップ２００は、タイヤの側面を構成するゴム厚の中に埋め込まれる。計測モジュールに対するチップ２００の位置は、本発明の装置ではそれほど重要ではない。計測モジュールは、タイヤに接着されてもよいし、リムにくくり付けられてもよいし、あるいはバルブに固定されてもよい。
【００２０】
図３に示したように、第１の通信方法によれば、チップ２００の識別子に関連する識別子および／またはデータ（例えば摩耗の測定値）が計測モジュール１１０の通信フレーム内で送信されるように、本発明の装置は、一連の発信Ｏ１、Ｏ２、Ｏ３で表記した通信を介して受信モジュール１２０に格納または送信することを目的に、識別子および／またはタイヤの識別子に関連するデータを計測モジュール１１０に送信することを提供する。本発明によれば、モジュール１１０の作動および／またはチップ２００との通信は、タイヤの金属構造Ｓ（図２を参照）に反射する電波を介して実現される。
【００２１】
このようにするために、前記モジュール１１０は、チップ２００と通信するための１００ＭＨｚを超える範囲の電波を発信・受信する手段、および受信モジュール１２０または１３０と通信するための低周波数範囲の電波を発信・受信手段を備える。さらに、電波があらゆる方向に確実に発信・受信されるようにするため、前記モジュールは、等方性アンテナを装備している。
【００２２】
通信方法のもう１つの実施形態によれば、電子モジュール１１０は、Ｏ１で表記した電波を介して前記チップを作動させ（よってこの電波は作動用電波でしかない）、このチップが、車両のシャシに取り付けられた無線周波数受信器１２０と通信するようにする（電波Ｏ４）。そのため、車輪のモジュール１２０は、もはや検波器を装備する必要がない。
【００２３】
最初の２つを始動させることができる通信方法のもう１つの実施形態によれば、携帯型問い合わせモジュール１６０が、ユーザの制御により、信号（Ｏ５）を車輪の電子モジュール１１０に送り、識別子を発信する（Ｏ２またはＯ４）チップを作動させる電波（Ｏ１）を発信するよう命令する。
【００２４】
以上に記載し、図示した装置および方法は、限定ではなく開示を目的とするものであることがわかる。当然ながら、上記の例には、本発明の範囲を逸脱しないかぎり、様々な調整、修正および改良を加えてよい。
【図１】
2014004995.tif 000003
【図１ａ】
2014004995.tif 000004
【図２】
2014004995.tif 000005
【図３】
2014004995.tif 000006